(57)【要約】【課題】サッカーのフリーキックの練習を他の選手の助けを借りず、１人でも実戦に適した練習ができるフリーキック練習装置の提供。【解決手段】略等身大の人に模した複数の壁部材４を、垂直方向に細長い略長方形に形成されたフレーム部７、該フレーム部の上端に固定された円板状の擬似頭部８、上記フレームに上記擬似頭部を通して着脱可能に被せられた袋状カバー９にて構成し、フレーム部へのカバーの着脱により壁の向こう側を目視可能または目視不可能の２状態の選択を可能とした。目視不可能とすることにより、実戦に即したフリーキックの練習ができ、目視可能とすることにより、ボールコントロール技術の向上に有効な練習ができる。【選択図】　　　　図２
2004065749.tif 000002
【特許請求の範囲】
【請求項１】
キャスターを有する基台と、該基台上に垂直方向に、該基台に対し着脱可能に取り付けられた略等身大の人に模した複数の壁部材とを備え、フリーキックをする選手とサッカーゴールとの間に配置されて使用されるフリーキック練習装置において、上記壁部材は、垂直方向に細長い略長方形に形成されたフレーム部と、該フレーム部の上端に固定された円板状の擬似頭部と、上記フレームに上記擬似頭部を通して着脱可能に被せられた袋状カバーとからなることを特徴とするフリーキック練習装置。
【請求項２】
上記カバーは、下方が開放され、上部に上記擬似頭部を通す孔が形成され、かつキャンバス布にて構成されてなる請求項１記載のフリーキック練習装置。
【発明の詳細な説明】
【０００１】
【発明の属する技術分野】
本発明は、サッカーのフリーキック練習装置に関する。
【０００２】
【従来の技術】
サッカー競技においては、選手が反則を犯した場合、相手側チームにフリーキックの権利が与えられる。この場合、この権利を与えられた選手は直接ゴールを狙うことができ、相手チームの選手は数人がボールを蹴る選手とゴールとの間に一列に並んで（「壁をつくる」と称される）、これを阻止しようとする。ボールを蹴る選手と壁との間は、ペナルティエリア外でのフリーキックでは、相手選手はインプレーになるまでボールから少なくとも９．５ｍ以上離れていなければならないというルールがある。
【０００３】
このフリーキックによるシュートは、相手の壁をかわしてゴールへ蹴り込むために、選手に高いボールコントロール技能が要求される。近時その練習を効率よく行うために選手自身が壁をつくることに代えて、プラスチックで壁部材を構成した練習装置が提案されている。例えば登録実用新案第３０２２４０４号公報には、プラスチックにより中空状に形成した壁板をフレームに着脱自在に設けた構造が記載されている。
【０００４】
【発明が解決しようとする課題】
フリーキック練習に際しては、壁を作ってゴールが見えない状態でシュートするのであるが、実際には壁の向こう側にいるゴールキーパーの位置あるいはボールをカーブさせてボールを蹴り込む壁の向こう側の特定のスペースが見えた方が蹴りやすく、特に初心者においては練習の効果をあげるために有効である。
本発明は、このような事情を考慮してなされたものであり、壁部材となるカバーをフレームに着脱可能とし、カバーをフレームに取り付けて壁の向こう側を見えなくし、またカバーをフレームからはずして壁の向こう側が見えるようにしたフリーキック練習装置を提供するものである。
【０００５】
【課題を解決するための手段】
本発明（請求項１）は、キャスターを有する基台と、該基台上に垂直方向に、該基台に対し着脱可能に取り付けられた略等身大の人に模した複数の壁部材とを備え、フリーキックをする選手とサッカーゴールとの間に配置されて使用されるフリーキック練習装置において、上記壁部材は、垂直方向に細長い略長方形に形成されたフレーム部と、該フレーム部の上端に固定された円板状の擬似頭部と、上記フレームに上記擬似頭部を通して着脱可能に被せられた袋状カバーとからなるものである。
【０００６】
かかる構成において、フレームからカバーをはずしたときは、フレームの間を通して壁の向こう側が見え、他方フレームにカバーを被せたときは壁の向こう側は見えない。
【０００７】
本発明（請求項２）において、上記カバーは、下方が開放され、上部に上記擬似頭部を通す孔が形成され、かつキャンバス布にて構成されてなるものである。かかる構成において、カバーは、下方の開放部分からフレームに被せられ、上部の孔に擬似頭部を通してフレームに着せられる。
【０００８】
【発明の実施の形態】
以下本発明の実施態様を図面に基づき説明する。図１は相手側選手が壁のように並ぶ状態での使用を示す本発明のフリーキック練習装置の斜視図、図２は同フリーキック練習装置の正面図、図３は同フリーキック練習装置の側面図、図４は壁の向こう側が見える状態での使用を示す同フリーキック練習装置の正面図、図５は同フリーキック装置の基台の平面図、図６は同正面図を示す。
【０００９】
これらの図において、１はフリーキック練習装置、２は該フリーキック練習装置１の基台にして、鉄など金属製部材にて平面矩形状のフレーム体に形成されている。基台２の四隅にはフリーキック練習装置１を練習場の任意な所に移動して設置できるようにキャスター３が下部に取り付けれている。また、上記基台２の中央部位置より少し正面側寄りの位置には、後述する壁部材４を取り付けるための取付ベース５が長手方向に架設形成されている。取付ベース５は鉄など金属部材よりなると共に、その一側部には上記壁部材４の下端が差し込まれる、鉄など金属部材よりなる支持パイプ６，６が２つを一組として等間隔に複数組、実施例では３組、合計６個取り付け固定されている。支持パイプ６，６は溶接等にて取付ベース５に固定することができる。
【００１０】
４は基台２上に垂直方向に取り付けられた略等身大の人に模した壁部材で、これら壁部材４が基台２に複数、本例の場合３個取付けられると、サッカーゴールの前に壁のように横一列となって並ぶ３人の相手側選手に見せることができる。該壁部材４は、垂直方向に細長い略長方形に形成されたフレーム部７と、該フレーム部７の上端に固定された円板状の疑似頭部８と、この疑似頭部８を通してフレーム部７に着脱可能に被せられ、人の胴体部を模す袋状カバー９とからなる。
【００１１】
上記疑似頭部８は、図７および図８に示すように、２本の縦フレーム８ｂ，８ｂを支持体として溶接等にてフレーム部７の上辺に取付固定されている。また疑似頭部８も鉄板など、金属部材より構成することができる。
【００１２】
上記フレーム部７にはその中間に等間隔の２本の縦フレーム１１，１１が形成され、かつこれらと交差する２本の横フレーム１２，１２が設けられフレーム部７の強度が高められている。ここで上記フレーム部７の下位の横フレーム１２より下方へ延出する両下端部分は、基台２に対する取付脚部７ｄ，７ｄとなり、取付ベース５に設けた上記支持パイプ６，６に差し込まれて壁部材４を垂直に支持する。
【００１３】
この場合、フレーム部７の取付脚部７ｄ，７ｄが差し込まれる差込孔である支持用パイプ６，６の内周面には、図９に示すように摩擦係数の小さい樹脂部材で形成した、例えば塩化ビニール製の樹脂管１３が設けられている。これによりフレーム部７の取付脚部７ｄ，７ｄすなわちその下端を支持パイプ６，６に嵌め込んだり抜き出すことが容易に行えるようになり、壁部材４を基台２にスムーズに脱着することができる。なお、支持パイプ６，６の底は、適宜な底部材１４にて塞がれている。
【００１４】
図１０，１１において、９は、フレーム部７に被せられて、選手の身体部として模せられる着脱可能な袋状カバーである。袋状カバー９は、下方が開放１５され、上部に上記疑似頭部８を通す孔１６が形成され、かつキャンバス布にて構成されてなる。
【００１５】
この袋状カバー９は、フレーム部７との間に隙間を有する如くフレーム部７より多少大きく形成することにより、袋状カバー９にボールが当たったとき、その衝撃を緩和し、衝突音を小さくすることができる。また図１２に示すように、このキャンバス布のボールを蹴る選手側に位置する表面の内側に発泡ポリウレタン等のクッション材１７を所定厚さ取り付けることにより、ボール衝突時の衝撃をさらに緩和し、衝突音を小さくすることができる。
【００１６】
したがって、袋状カバー９を壁部材４の疑似頭部８にその孔１６を通して上方から被せれば、図１，２に示すように、基台２に垂直に立つ複数の壁部材４はその袋状カバー９が選手の体となって、サッカーゴールの前に壁のように立つ複数の相手側選手に見立てることができる。これにより、袋状カバー９を被せた壁部材４、すなわち相手側選手で向こう側が見えない状況でサッカーゴール前にボールを蹴るという実戦を想定したフリーキックの練習を行うことができ、実戦に役立つ練習になる。
【００１７】
一方、袋状カバー９を被せない、或いは取り外した場合には、図４のようにフレーム部７が剥き出しとなり、縦横のフレーム１１，１２間を通して向こう側が見える壁部材４となるので、この場合には、自分が蹴ったボールがゴールのどの位置に入ったか確認できる。これにより、この壁部材４で壁の位置、高さを確認しつつ、シュートする先を見越してゴール前の狭いエリアなどをピンポイントで狙いボールを蹴るという練習が行え、フリーキックの精度、技量を効率的に向上させることができる。
【００１８】
なお、壁部材４の大きさは、高さ：１７５ｃｍ程度、幅：４０ｃｍ程度、疑似頭部８の直径２０．０ｃｍのものとすることができ、３〜６個が一列に配置される。また取付脚部７ｄ，７ｄは、径２８．６ｍｍ、長さ：１０．０ｃｍのものとすることができる。基台２の大きさは、壁部材４が３個の場合、その長辺：１５０ｃｍ、短辺：１００ｃｍのものとすることができる。さらに、袋状カバー９は、縦８３ｃｍ、横４９ｃｍ、孔１４の直径２４ｃｍのものとすることができる。
【００１９】
【発明の効果】
本発明（請求項１）によれば、細長いフレーム部の上部に疑似頭部を有したそのフレーム部の下端が、キャスターを有した基台に垂直状態で取付られることにより等身大の壁部材となってサッカーボール競技における相手側選手に見立てることができるので、他の選手の力を借りることなく、壁をつくってフリーキックの練習ができる。
【００２０】
また、壁部材には、そのフレーム部に袋状カバーを疑似頭部に通して着脱可能に被せることができるので、被せれば実戦に即して壁の向こう側が見えない状態でシュートを打つことができる。一方被せないときは、壁をつくり、つくった壁の向こう側が見える状態とすることにより、壁の位置、高さ及び幅を確認しつつ、壁の向こう側のゴールキーパーの位置やその動き、ピンポイントで狙わなければならないゴールの狭いスペース（壁があれば見えない）を確認しながらボールを蹴ることができ、フリーキックの技術、精度を向上させるのに有効となり、フリーキックの練習を効率よく行うことができる。
【００２１】
また本発明（請求項２）によれば、袋状カバーはその下方を開放し上部に疑似頭部を通せるよう孔が設けられているので、フレーム部に被したり外したりすることが容易にでき、壁部材の向こう側が見える状況と見えない状況の異なる練習条件を、簡単につくりだせて、便利である。
【００２２】
また、袋状カバーがキャンバス布で形成されているので、ボールが当たったときの衝突音が小さく、カバーにより衝撃緩和作用がある。また袋状カバーの大きさを、フレーム部より多少大きく形成し、カバーとフレーム部との間に隙間を形成することにより、ボール衝突時の衝撃をより一層緩和することができる。
【図面の簡単な説明】
【図１】本発明に係るフリーキック練習装置の斜視図。
【図２】袋状カバーを被せ、向こう側が見えない状態の使い方とした場合のフリーキック練習装置の正面図。
【図３】同フリーキック練習装置の側面図。
【図４】袋状カバーを取り、向こう側が見える状態の使い方とした場合のフリーキック練習装置の正面図。
【図５】フリーキック練習装置の基台の平面図。
【図６】フリーキック練習装置の基台の側面図。
【図７】等身大の人に模した壁部材の正面図
【図８】同壁部材の背面図。
【図９】フレーム部の要部拡大断面図。
【図１０】袋状カバーの正面図。
【図１１】壁部材のフレーム部に被せられる袋状カバーの斜視図。
【図１２】内側に衝撃緩和用のクッション材を設けた構成を一部破断して示す袋状カバーの斜視図。
【符号の説明】
１　フリーキック練習装置
２　基台
３　キャスター
４　壁部材
６　支持パイプ
７　フレーム部
７ｄ，７ｄ　フレーム部の取付脚部
９　袋状カバー
１６　孔
１７　クッション材
【図１】
2004065749.tif 000003
【図２】
2004065749.tif 000004
【図３】
2004065749.tif 000005
【図４】
2004065749.tif 000006
【図５】
2004065749.tif 000007
【図６】
2004065749.tif 000008
【図７】
2004065749.tif 000009
【図８】
2004065749.tif 000010
【図９】
2004065749.tif 000011
【図１０】
2004065749.tif 000012
【図１１】
2004065749.tif 000013
【図１２】
2004065749.tif 000014